(57)【要約】【課題】上下段差を有するプロテクタを簡単に形成する。【解決手段】底壁に設けた前記薄肉ヒンジ部を屈曲して、該薄肉ヒンジ部に挟まれた部分を垂直方向または傾斜方向として段差形成部を設け、該段差形成部の下端に連続した部分を下位水平部、上端に連続した部分を上位水平部とし、下位水平部の両側に第一側壁、段差形成部の両側に第二側壁を突設し、該第二側壁の先端に前記上位水平部の側壁となる下向突出部を設け、薄肉ヒンジ部を屈曲させて段差形成部を垂直方向または傾斜方向とした状態で、第二側壁の先端を下位水平部の底壁の両側端および第一側壁の先端と接合させ、該接合部の一方にロック部、他方に被ロック部を設けてロック結合させて固定し、かつ、第二側壁の下向突出部を上位水平部の両側に接合させ、該接合部の一方にロック部、他方に被ロック部を設けてロック結合させて固定している。【選択図】図１
2009268272.tif 000002
【特許請求の範囲】
【請求項１】
上下段差を有するワイヤハーネス用プロテクタであって、
水平方向に延在する長さ方向の少なくとも２ヶ所に幅方向の薄肉ヒンジ部を設けた底壁を備え、前記薄肉ヒンジ部を屈曲して、該薄肉ヒンジ部に挟まれた部分を垂直方向または傾斜方向として段差形成部を設け、該段差形成部の下端に連続した部分を下位水平部、上端に連続した部分を上位水平部とし、かつ、
前記下位水平部の両側に第一側壁を突設すると共に、前記段差形成部の両側に第二側壁を突設し、該第二側壁の先端に前記上位水平部の側壁となる下向突出部を設け、
前記薄肉ヒンジ部を屈曲させて段差形成部を垂直方向または傾斜方向とした状態で、前記第二側壁の先端を前記下位水平部の底壁の両側端および第一側壁の先端と接合させ、該接合部の一方にロック部、他方に被ロック部を設けてロック結合させて固定し、かつ、前記第二側壁の下向突出部を上位水平部の両側に接合させ、該下向突出部にロック部と保持部を設けて固定していることを特徴とするワイヤハーネス用プロテクタ。
【請求項２】
前記薄肉ヒンジ部を屈曲させると共に前記ロック部で上下段差を有する形状に固定し、前記底壁の長さ方向の両端に設けたテープ巻き舌片に電線群をテープ巻き固定し、かつ、前記第一側壁および第二側壁位置で、該側壁および底壁から上端開口にかけてテープ巻きして挿通する電線群を保持している請求項１に記載のワイヤハーネス用プロテクタ。
【請求項３】
請求項２に記載のワイヤハーネス用プロテクタの形成方法であって、
前記底壁を水平状態としてワイヤハーネスを構成する電線群を挿通させ、挿通した電線群を前記底壁の長さ方向の両端に設けたテープ巻き舌片とテープ巻きして固定し、
この状態で、前記底壁の薄肉ヒンジ部を屈曲させると共に前記ロック部と被ロック部とをロック結合すると共に前記ロック部と保持部とで上下段差を有する形状とし、
ついで、前記第一側壁および第二側壁の位置で、底壁および側壁の外周面から上端開口にかけてテープを巻き付けて電線群を保持しているワイヤハーネス用プロテクタの組立方法。
【発明の詳細な説明】
【技術分野】
【０００１】
本発明は、ワイヤハーネス用プロテクタおよび該ワイヤハーネス用プロテクタの組立方法に関し、詳しくは、底壁を上下段差を有しない平板状としてワイヤハーネスの挿通した後に上下段差を有する形状に組み立てるものである。
【背景技術】
【０００２】
近年、自動車や二輪車に配索するワイヤハーネスは、車体フレームや車体パネルに沿った狭いスペースに正確かつ高密度に配索する必要があると共に、ワイヤハーネスが外部干渉材と接触しないように保護する必要があるため、樹脂成形品からなるプロテクタを設けて、ワイヤハーネスに外装している場合が多い。
通常、ワイヤハーネスへのプロテクタの取り付けは、ワイヤハーネス組立作業台上に突設した治具でプロテクタを支持しておき、該プロテクタ内にワイヤハーネスを構成する電線群を布線し、布線後にプロテクタに設けたテープ巻き舌片に電線群を巻きつけている。
【０００３】
プロテクタを通すワイヤハーネスを配索上で屈曲させる必要がある場合には、プロテクタを屈曲形状とする必要がある。
例えば、上下段差を有するプロテクタとする場合には、図７に示すように、上位水平部１ａ、段差部１ｂ、下位水平部１ｃを備えた高低差のあるプロテクタ１となる。
しかし、前記高低差のあるプロテクタ１の場合、ワイヤハーネス組立作業台上では電線群を布線治具で支持して略水平方向に布線していくため、布線治具からワイヤハーネスを取り出して、プロテクタ１に組みつける必要がある。あるいは、布線治具でワイヤハーネスをテープ巻き等で結束して組み立てた後に、別の位置でプロテクタ１を組みつける必要があり、作業性が非常に悪くなる問題がある。
【０００４】
前記問題に対して、ワイヤハーネス組立作業台上では、電線群を水平方向にプロテクタ内に配線して収容し、その後、屈曲させるプロテクタが、特開２００３−１３４６３４号公報（特許文献１）で提供されている。
該プロテクタ１’は、図８に示すように、平板状の底壁２が折曲部３を介して連結され、各底壁２の側端からは側壁４を立設させて第１、第２収容部５、６を設け、第１、第２収容部５、６の開口を閉鎖する第１、第２蓋部７、８を設け、第１蓋部７はワイヤハーネスＷ／Ｈの屈曲方向に屈曲させている。
前記第１、第２収容部５、６を水平状態に配置して、ワイヤハーネスＷ／Ｈを構成する電線群を第１、第２収容部５、６に通した後に、折曲部３で折り曲げている。その後、結合ヒンジ１ｄで折り曲げて第１蓋部７を第１収容部５の開口に被せ、さらに、蓋ヒンジ１ｅで折り曲げて第２蓋部８を第２収容部６に被せ、ロック結合してワイヤハーネスＷ／Ｈをプロテクタ１に収容している。
【０００５】
特許文献１のワイヤハーネス用プロテクタ１'では、ワイヤハーネス組立作業台上にプロテクタ１に配置して電線群を挿通できるが、折曲部３で折り曲げた状態を維持するためにプロテクタ１を固定する治具が必要となる。
【０００６】
【特許文献１】特開２００３−１３４６３４号公報
【発明の開示】
【発明が解決しようとする課題】
【０００７】
本発明は、前記問題に鑑みてなされたものであり、ワイヤハーネス組立作業台上に搭載した状態において、上下段差がなく、よって、上下段差部を保持する治具を用いる必要が無いと共に、電線群を水平方向に布線できる、上下段差を有するプロテクタおよびその組立方法を提供することを課題としている。
【課題を解決するための手段】
【０００８】
前記課題を解決するために、本発明は、上下段差を有するワイヤハーネス用プロテクタであって、
水平方向に延在する長さ方向の少なくとも２ヶ所に幅方向の薄肉ヒンジ部を設けた底壁を備え、前記薄肉ヒンジ部を屈曲して、該薄肉ヒンジ部に挟まれた部分を垂直方向または傾斜方向として段差形成部を設け、該段差形成部の下端に連続した部分を下位水平部、上端に連続した部分を上位水平部とし、かつ、
前記下位水平部の両側に第一側壁を突設すると共に、前記段差形成部の両側に第二側壁を突設し、該第二側壁の先端に前記上位水平部の側壁となる下向突出部を設け、
前記薄肉ヒンジ部を屈曲させて段差形成部を垂直方向または傾斜方向とした状態で、前記第二側壁の先端を前記下位水平部の底壁の両側端および第一側壁の先端と接合させ、該接合部の一方にロック部、他方に被ロック部を設けてロック結合させて固定し、かつ、前記第二側壁の下向突出部を上位水平部の両側に接合させ、該下向突出部にロック部と保持部を設けて固定していることを特徴とするワイヤハーネス用プロテクタを提供している。
【０００９】
前記プロテクタは、薄肉ヒンジ部を屈曲させると共に前記ロック部で上下段差を有する形状に固定し、前記底壁の長さ方向の両端に設けたテープ巻き舌片に電線群をテープ巻き固定し、かつ、前記第一側壁および第二側壁位置で、該側壁および底壁から上端開口にかけてテープ巻きして挿通する電線群を保持している。
【００１０】
さらに、本発明は、前記構成のプロテクタの組立方法として、
前記底壁を水平状態としてワイヤハーネスを構成する電線群を挿通させ、挿通した電線群を前記底壁の長さ方向の両端に設けたテープ巻き舌片とテープ巻きして固定し、
この状態で、前記底壁の薄肉ヒンジ部を屈曲させると共に前記ロック部と被ロック部とをロック結合すると共に前記ロック部と保持部とで上下段差を有する形状とし、
ついで、前記第一側壁および第二側壁の位置で、底壁および側壁の外周面から上端開口にかけてテープを巻き付けて電線群を保持しているワイヤハーネスのプロテクタの組立方法を提供している。
【００１１】
前記プロテクタの組立方法では、ワイヤハーネス組立台上から突設したプロテクタ支持治具でワイヤハーネスを支持する際、プロテクタの底壁は水平状態としているため、特殊なプロテクタ支持治具を用いる必要はない。かつ、電線群を水平方向に布線してプロテクタ内を通すことができ、ワイヤハーネス組立作業台上で電線群を布線する工程で、ワイヤハーネスにプロテクタを組み付けることができる。
また、電線群をプロテクタに水平方向に通した状態で、該プロテクタの両端のテープ巻き舌片を電線群にテープ巻き固定しておくため、ワイヤハーネス組立作業台上でのワイヤハーネスの組立を終了して、ワイヤハーネス組立作業台からワイヤハーネスを取り外した後に、プロテクタの薄肉ヒンジ部を屈曲させると共に前記ロック部でロック結合すると、ワイヤハーネスを上下段差部を有する屈曲状態で保持することができる。
かつ、屈曲時にはプロテクタの両端でワイヤハーネスをテープ巻き固定しているため、屈曲時にワイヤハーネスに位置ずれが生じることはない。
【発明の効果】
【００１２】
前述したように、本発明によれば、高低差を設けるプロテクタプロテクタの底壁を水平状態としてワイヤハーネスを挿通した後、薄肉ヒンジ部を屈曲すると共に屈曲状態で接合する箇所をロック結合する構成としているため、プロテクタ自身で所定の組立状態を維持することができる。
このように、電線群を挿通する工程では、底壁を水平としているため、ワイヤハーネス組立作業台上でプロテクタへの電線群の挿通を行え、作業性を高めることができる。かつ、プロテクタを固定するための特殊なプロテクタ保持治具が不要となる。
【発明を実施するための最良の形態】
【００１３】
以下、本発明の実施形態を図面を参照して説明する。
図１乃至図６に本発明のワイヤハーネス用プロテクタの実施形態を示す。
図１はプロテクタ１０をワイヤハーネスＷ／Ｈを通し、上下高低差のあるプロテクタとした状態を示し、図２は上下高低差を設ける前の状態を示す。
【００１４】
プロテクタ１０は底壁１１と両側壁１２とからなる断面凹形状であり、底壁１１と両側壁１２に囲まれた内部空間をワイヤハーネスＷ／Ｈの挿通空間Ｓとしている。該プロテクタ１０にワイヤハーネスＷ／Ｈを水平方向に挿通した状態で、プロテクタ１０の両端とワイヤハーネスＷ／ＨとをテープＴ１、Ｔ２を巻き付けて固定している。かつ、高低差のある状態とした後に、プロテクタ１０にテープＴ３、Ｔ４を巻き付けて、挿通空間Ｓに通したワイヤハーネスＷ／Ｈを保持している。即ち、プロテクタ１０は上面開口を閉鎖する蓋を設けず、テープ巻きしてプロテクタ１０内のワイヤハーネスＷ／Ｈを保持している。
【００１５】
プロテクタ１０は、組立前の状態の図２に示すように、底壁１１は水平とし、長さ方向の一端側から第１テープ巻き舌片２０、下位水平部２１  第一薄肉ヒンジ部２２、段差形成部２３、第二薄肉部２４、上位水平部２５、第２テープ巻き舌片２６を順次形成している。
これら底壁１１の各部は、前記のように水平に形成しており、図４、図５に示すように、第一、第二薄肉ヒンジ部２２、２４を屈曲して高低差異を設けた状態で下位水平部２１、垂直方向の段差形成部２３、上位水平部２５となる。
【００１６】
前記底壁１１の幅方向の両側から突出させる側壁１２として、前記下位水平部２１の両側第一側壁３０を突設し、かつ、前記段差形成部２３から第二側壁３１を突設している。該第二側壁３１は第二薄肉ヒンジ部２４および上位水平部２５にかけて突出させているが、該第二薄肉ヒンジ部２４から上位水平部２５とは分離し、該突出部分に下向突出部３１ａを設けて、第二側壁３１を倒Ｌ形状としている。該下向突出部３１は組立時において、上位水平部２５の両側に接合して側壁となる。
【００１７】
前記第一薄肉ヒンジ部２２を屈曲させた状態で、第一側壁３０の右端と第二側壁３１の左端とが直角方向に接合させるようにしている。該接合状態を保持するため、第一側壁３０の右端に被ロック部となるロック枠３０ａを設けると共に、第二側壁３１の左端にロック部となるロック爪３１ｂを設けている。
【００１８】
前記第二薄肉ヒンジ部２４を屈曲させた状態で上位水平部２５の側壁１２となる第二側壁３１の下向突出部３１ａの内面に、ロック爪３１ｄを突出している。また、先端から断面Ｌ字形状の保持部３１ｅを突出している。
【００１９】
次に、前記プロテクタ１０にワイヤハーネスＷ／Ｈを組み付ける方法を図６を参照して説明する。
図６（Ａ）に示すように、プロテクタ１０の底壁１１を水平状態として、ワイヤハーネス組立作業台（図示せず）のプロテクタ支持治具で支持しておく。
この状態で、ワイヤハーネスＷ／Ｈを構成する電線群を底壁１１で支持して、水平方向に布線していく。布線後に底壁１１の長さ方向の両端で、第１テープ巻き舌片２０に電線群とにテープＴ１を巻き付けて固定し、第２テープ巻き舌片２６に電線群をテープＴ２を巻き付けて固定する。
【００２０】
このように、ワイヤハーネス組立作業台上では、プロテクタ１０の底壁１１を水平状態としてワイヤハーネスＷ／Ｈの電線群を通してテープＴ１，Ｔ２で長さ方向の両端を固定しておく。
ワイヤハーネスＷ／Ｈをワイヤハーネス組立作業台上での組み立てが終了して、ワイヤハーネスをワイヤハーネス組立作業台から取り外した後に、図６（Ｂ）に示すように、高低差のある形状に組み立て、その後、図６（Ｃ）に示すように、テープＴ３を巻き付けて、プロテクタ１０内にワイヤハーネスＷ／Ｈを保持している。
【００２１】
詳細には、図６（Ｂ）および図４、図５に示すように、底壁１１の第一薄肉ヒンジ部２２を屈曲させ、図４（Ｂ）に示すように、下位水平部２１の両側の第一側壁３０のロック枠３０ａと第二側壁３１のロック爪３１ｂとをロック結合する。
さらに、第２薄肉ヒンジ部２４を屈曲させて第二側壁３１の下向突出部３１ａを上位水平部２４の両側に接合させ、図５（Ｂ）に示すように、上位水平部２５を下向突出部３１ａのロック爪３１ｄに係止すると共に、上位水平部２５の下面を保持部３１ｅで保持する。これにより、図４および図６（Ｂ）に示すような上下段差を有するプロテクタ１０として組み立てる。
【００２２】
このように、上下段差を有する状態のプロテクタ１０に組み立てることにより、ワイヤハーネスＷ／Ｈは上下段差に沿って屈曲する。
その後、図６（Ｃ）に示すように、ワイヤハーネスＷ／Ｈの屈曲状態を保持すると共に、ワイヤハーネスＷ／Ｈがプロテクタ１０の上部開口から離脱しないように、第一側壁３０位置で下位水平部２１および第一側壁３０の外周面から上端開口にかけてテープＴ３を巻き付ける。さらに、段差形成部２３と上位水平部２５および第二側壁３１と下向突出部３１ａの外周面から上端開口にかけてテープＴ４を巻き付けてワイヤハーネスＷ／Ｈを保持して、プロテクタ１０をワイヤハーネスＷ／Ｈに組み付けている。
【００２３】
前記のように、本発明では、プロテクタ１０の底壁１１を水平としてワイヤハーネスＷ／Ｈを挿通した後に、第一、第二薄肉ヒンジ部２２、２４を屈曲させ、ロック結合することでプロテクタ１０自身で所定の組立状態を維持することができる。
また、ワイヤハーネス組立作業台上において、プロテクタ１０は底壁１１を水平としてセットするため、特殊なプロテクタ保持治具を必要としない。かつ、電線群を水平方向に布線してプロテクタ１０内に通すことができるため、布線作業時にプロテクタ１０への電線群の挿通を行うことができる。よって、ワイヤハーネスへのプロテクタの取付作業性を向上させることができる。
かつ、プロテクタ１０を屈曲して組み立てる前に、第一、第二テープ巻き舌片２０、２６にワイヤハーネスＷ／Ｈをテープ巻き固定しているため、屈曲時にワイヤハーネスの位置ずれが生じることなく、高低差を有するプロテクタ１０内にワイヤハーネスを屈曲させて挿通させることができる。
さらに、プロテクタには蓋を設けずにテープ巻きしてプロテクタ内に通したワイヤハーネスを保持しているため、段差形状を有する蓋を設ける必要がない。
【００２４】
なお、本発明は前記実施形態に限定されず、前記第二側壁と第一側壁のロック構造および第二側壁の下向突出部と上位水平部のロック構造は、他の適宜なロック機構としてもよい。さらに、前記実施形態のプロテクタは上下２段の屈曲構造としているが、同様な形状を追加することにより、上下３段の屈曲構造とすることも可能である。
【図面の簡単な説明】
【００２５】
【図１】本発明のプロテクタを高低差を有する形状に組み立てて、ワイヤハーネスを組み付けた状態を示す斜視図である。
【図２】前記プロテクタを高低差を有する形状に組み立てる前の状態を示す斜視図である。
【図３】（Ａ）は図２の前の側面図、（Ｂ）は第二側壁のロック爪の拡大斜視図、（Ｃ）は下位水平部のロック枠の拡大斜視図である。
【図４】（Ａ）はプロテクタを高低差を有する状態とした斜視図、（Ｂ）は（Ａ）の要部を拡大した側面図である。
【図５】（Ａ）は上位水平部と第二側壁とのロック状態を示す側面図、（Ｂ）は（Ａ）のＢ矢視図である。
【図６】（Ａ）〜（Ｃ）はプロテクタにワイヤハーネスを組み付ける工程を示す図である。
【図７】従来例を示す図である。
【図８】他の従来例を示す図である。
【符号の説明】
【００２６】
１０  プロテクタ
１１  底壁
１２  側壁
２０  第１テープ巻き舌片
２１  下位水平部
２２  第一薄肉ヒンジ部
２３  段差形成部
２４  第二薄肉ヒンジ部
２５  上位水平部
２６  第二テープ巻き舌片
３０  第一側壁
３０ａ  ロック枠
３１  第二側壁
３１ａ  下向突出部
３１ｂ、３１ｄ  ロック爪
３１ｅ  保持部
Ｔ１〜Ｔ２  テープ
Ｗ／Ｈ  ワイヤハーネス
【図１】
2009268272.tif 000003
【図２】
2009268272.tif 000004
【図３】
2009268272.tif 000005
【図４】
2009268272.tif 000006
【図５】
2009268272.tif 000007
【図６】
2009268272.tif 000008
【図７】
2009268272.tif 000009
【図８】
2009268272.tif 000010